(57)【特許請求の範囲】
【請求項１】
放射線あるいは放射性物質を検出してアナログパルスを出力する放射線検出器と、
上記アナログパルスを入力して時分割で電圧を測定し、所定数の電圧データを最新化して保管し、上記最新の電圧データがトリガレベル以上になった場合、それから第１の所定時間経過後に、上記第１の所定時間と上記トリガレベル以上になる前の第２の所定時間とを加えた時間の時系列的に並べられた電圧データをアナログパルス波形データとして出力する波形測定手段と、
上記アナログパルス波形データを入力して、最大波高値、最小波高値、パルス幅を分析し、上記パルス幅が所定の範囲を逸脱しているものについてパルス幅異常、上記最小波高値が逆極性の基準レベルを超過しているものについて逆極性波高過大、上記アナログパルス波形のアンダーシュートが上記基準レベルに到達してないものについてアンダーシュート不足、上記最大波高値が所定の上限レベルを超過しているものについて波高過大として判定し、該当ノイズがあったらそれ以降のノイズ判定をスキップし、何れもノイズ波形とみなすと共に、それらに該当しないものを信号波形とみなし、上記信号波形に対応してデジタルパルスを出力し、分析時刻及びノイズ判定根拠と共に全ての入力パルスの波形データ、最大波高値、最小波高値を波形データパッケージとして出力する波形分析手段と、
上記信号波形に対応したデジタルパルスを入力して計数し、信号計数値を出力する計数手段と、
上記波形データパッケージ、及び上記信号計数値を入力し、上記信号計数値に基づいて信号計数率を求め、該信号計数率が所定のレベルを超過した場合に信号計数率高警報を発信し、上記波形データパッケージの全波形数に対するノイズ波形数の比としてノイズ混入率を求め、該ノイズ混入率が所定のレベルを超過した場合に上記信号計数率高警報とのAND条件でノイズ進入警報を発信し、上記信号計数率、上記信号計数率高警報、上記ノイズ混入率、上記ノイズ進入警報、及び上記演算時刻を演算処理データパッケージとして出力する演算手段と、
上記演算処理データパッケージと上記波形データパッケージとを格納する記憶手段と、
上記信号計数率を常時表示し、上記演算手段から上記信号計数率高警報が発信された時には上記信号計数率と共に上記信号計数率高警報を表示し、上記演算手段から上記ノイズ進入警報が発信された時には上記ノイズ混入率と共に上記ノイズ進入警報を表示する表示手段と、を備え、
上記演算手段は、上記記憶手段が格納する直近の所定数の演算処理データパッケージと直近の所定数の波形データパッケージとを常に最新化することを特徴とする放射線監視装置。
【請求項２】
放射線あるいは放射性物質を検出してアナログパルスを出力する放射線検出器と、
上記アナログパルスを入力して時分割で電圧を測定し、所定数の電圧データを最新化して保管し、上記最新の電圧データがトリガレベル以上になった場合、それから第１の所定時間経過後に、上記第１の所定時間と上記トリガレベル以上になる前の第２の所定時間とを加えた時間の時系列的に並べられた電圧データをアナログパルス波形データとして出力する波形測定手段と、
上記アナログパルス波形データを入力して、最大波高値、最小波高値、パルス幅を分析し、上記パルス幅が所定の範囲を逸脱しているものについてパルス幅異常、上記最小波高値が逆極性の基準レベルを超過しているものについて逆極性波高過大、上記アナログパルス波形のアンダーシュートが上記基準レベルに到達してないものについてアンダーシュート不足、上記最大波高値が所定の上限レベルを超過しているものについて波高過大として判定し、該当ノイズがあったらそれ以降のノイズ判定をスキップし、何れもノイズ波形とみなすと共に、それらに該当しないものを信号波形とみなし、上記信号波形と上記ノイズ波形のそれぞれに対応してデジタルパルスを出力し、分析時刻及びノイズ判定根拠と共に全ての入力パルスの波形データ、最大波高値、最小波高値を波形データパッケージとして出力する波形分析手段と、
上記信号波形に対応して出力されたデジタルパルスを入力して計数し、信号計数値を出力する第１の計数手段と、
上記ノイズ波形に対応して出力されたデジタルパルスを入力して計数し、ノイズ計数値を出力する第２の計数手段と、
上記波形データパッケージ、上記信号計数値、及び上記ノイズ計数値を入力し、上記信号計数値に基づいて信号計数率を求め、該信号計数率が所定のレベルを超過した場合に信号計数率高警報を発信し、上記信号計数値と上記ノイズ計数値に基づき全波形数に対するノイズ波形数の比としてノイズ混入率を求め、該ノイズ混入率が所定のレベルを超過した場合に上記信号計数率高警報とのAND条件でノイズ進入警報を発信し、上記信号計数率、上記信号計数率高警報、上記ノイズ混入率、上記ノイズ進入警報、及び上記演算時刻を演算処理データパッケージとして出力する演算手段と、
上記演算処理データパッケージと上記波形データパッケージとを格納する記憶手段と、
上記信号計数率を常時表示し、上記演算手段から上記信号計数率高警報が発信された時には上記信号計数率と共に上記信号計数率高警報を表示し、上記演算手段から上記ノイズ進入警報が発信された時には上記ノイズ混入率と共に上記ノイズ進入警報を表示する表示手段と、を備え、
上記演算手段は、上記記憶手段が格納する直近の所定数の演算処理データパッケージと直近の所定数の波形データパッケージとを常に最新化し、上記ノイズ計数値と上記信号計数値について所定の演算周期数における上記信号計数値を積算した信号移動積算値と、上記ノイズ計数値を積算したノイズ移動積算値を求め、上記信号移動積算値と上記ノイズ移動積算値から、ノイズ移動積算値／（信号移動積算値＋ノイズ移動積算値）を求め、上記ノイズ混入率とすることを特徴とする放射線監視装置。
【請求項３】
放射線あるいは放射性物質を検出してアナログパルスを出力する放射線検出器と、
上記アナログパルスを入力して時分割で電圧を測定し、所定数の電圧データを最新化して保管し、上記最新の電圧データがトリガレベル以上になった場合、それから第１の所定時間経過後に、上記第１の所定時間と上記トリガレベル以上になる前の第２の所定時間とを加えた時間の時系列的に並べられた電圧データをアナログパルス波形データとして出力する波形測定手段と、
上記アナログパルス波形データを入力して、最大波高値、最小波高値、パルス幅を分析し、上記パルス幅が所定の範囲を逸脱しているものについてパルス幅異常、上記最小波高値が逆極性の基準レベルを超過しているものについて逆極性波高過大、上記アナログパルス波形のアンダーシュートが上記基準レベルに到達してないものについてアンダーシュート不足、上記最大波高値が所定の上限レベルを超過しているものについて波高過大として判定し、該当ノイズがあったらそれ以降のノイズ判定をスキップし、何れもノイズ波形とみなすと共に、それらに該当しないものを信号波形とみなし、上記信号波形と上記ノイズ波形のそれぞれに対応してデジタルパルスを出力し、分析時刻及びノイズ判定根拠と共に全ての入力パルスの波形データ、最大波高値、最小波高値を波形データパッケージとして出力する波形分析手段と、
上記信号波形に対応して出力されたデジタルパルスを入力して計数し、信号計数値を出力する第１の計数手段と、
上記ノイズ波形に対応して出力されたデジタルパルスを入力して計数し、ノイズ計数値を出力する第２の計数手段と、
上記信号波形に対応して出力されたデジタルパルスを入力して所定の重み付けを行って加算すると共に、その信号積算値に対応した繰り返し周波数の負帰還パルスを入力して所定の重み付けを行って減算し、信号積算値＝（１／定数）１ｎ（信号計数率）なる信号積算値を出力する信号積算手段と、
上記波形データパッケージ、上記信号計数値、及び上記ノイズ計数値を入力し、上記信号積算値に基づいて信号計数率を求め、該信号計数率が所定のレベルを超過した場合に信号計数率高警報を発信し、上記信号計数値と上記ノイズ計数値に基づき全波形数に対するノイズ波形数の比としてノイズ混入率を求め、該ノイズ混入率が所定のレベルを超過した場合に上記信号計数率高警報とのAND条件でノイズ進入警報を発信し、上記信号計数率、上記信号計数率高警報、上記ノイズ混入率、上記ノイズ進入警報、及び上記演算時刻を演算処理データパッケージとして出力する演算手段と、
上記演算処理データパッケージと上記波形データパッケージとを格納する記憶手段と、
上記信号計数率を常時表示し、上記演算手段から上記信号計数率高警報が発信された時には上記信号計数率と共に上記信号計数率高警報を表示し、上記演算手段から上記ノイズ進入警報が発信された時には上記ノイズ混入率と共に上記ノイズ進入警報を表示する表示手段と、を備え、
上記演算手段は、上記記憶手段が格納する直近の所定数の演算処理データパッケージと直近の所定数の波形データパッケージとを常に最新化し、上記ノイズ計数値と上記信号計数値について所定の演算周期数における上記信号計数値を積算した信号移動積算値と上記ノイズ計数値を積算したノイズ移動積算値を求め、上記信号移動積算値と上記ノイズ移動積算値から、ノイズ移動積算値／（信号移動積算値＋ノイズ移動積算値）を求め、上記ノイズ混入率とすることを特徴とする放射線監視装置。
【請求項４】
上記波形測定手段のトリガレベルは、信号波形下限レベルに設定されることを特徴とする請求項１〜３の何れか一項に記載の放射線監視装置。
【請求項５】
上記表示手段は、波形を上記最大波高値と上記最小波高値を結ぶ垂線で表示し、上記パルス幅異常を上記垂線の太さで表示し、基準レベル、波高過大閾値レベル、逆極性波高過大閾値レベル、アンダーシュート不足閾値レベルを表示することを特徴とする請求項１〜４の何れか一項に記載の放射線監視装置。
【請求項６】
上記表示手段は、ノイズ波形の種類について上記垂線の色を違えて識別表示することを特徴とする請求項５に記載の放射線監視装置。
【請求項７】
上記表示手段は、波形データ抽出のなかった時間を基準レベルとして埋めて上記垂線の密度を可視化して表示することを特徴とする請求項５又は６に記載の放射線監視装置。
【発明の詳細な説明】
【技術分野】
【０００１】
この発明は、原子炉施設、使用済燃料再処理施設等での放射性物質の放出管理あるいは放射線管理に使用される放射線監視装置に関するものである。
【背景技術】
【０００２】
原子炉施設、使用済燃料再処理施設等で使用される従来の放射線監視装置は、放射線を検出してアナログパルスを出力する放射線検出器と、アナログパルスを入力して計数率を測定すると共に、計数率が所定のレベルを超えたら警報を発信する測定部を備え、測定部はアナログパルスの波形を測定すると共に、波形データに基づきパルス波形を分析し、最大波高値が測定対象上限レベルを超過しているものについては波高過大、最小波高値が逆極性の基準レベルを超過しているものについては逆極性波高過大、また、パルス幅が所定の値以下のものについてはパルス幅異常として、いずれもノイズ波形とみなすノイズ識別手段を有している。（例えば、特許文献１参照）
【先行技術文献】
【特許文献】
【０００３】
【特許文献１】特開２００３−２８９６３号公報
【発明の概要】
【発明が解決しようとする課題】
【０００４】
従来の放射線監視装置は上記のように構成されているため、放射線検出器内のノイズとして代表的な、（１）高電圧ライン絶縁不良による暗流放電ノイズ、（２）高電圧ライン断線しかかりによる高電圧入切持続ノイズを識別することができず、また、（３）放射線センサーとプリアンプ入力間の信号芯線の絶縁物剥離により電荷瞬時移動ノイズに特有のアンダーシュート無し波形を識別できないという問題があった。
【０００５】
また、ノイズの進入状況がリアルタイムで確認できるようになっていないために、高警報発信の原因が、放射線量の増加によるものかノイズを含む機器故障によるものかを短時間で切り分けることができず、切り分けのための調査に手間取るという問題があった。
【０００６】
この発明は上記の課題を解消するためになされたもので、耐ノイズ性を高めると共に、高信頼でかつ保守性の良好な放射線監視装置を提供することを目的とするものである。
【課題を解決するための手段】
【０００７】
この発明に係る放射線検出装置は、放射線あるいは放射性物質を検出してアナログパルスを出力する放射線検出器と、上記アナログパルスを入力して時分割で電圧を測定し、所定数の電圧データを最新化して保管し、上記最新の電圧データがトリガレベル以上になった場合、それから第１の所定時間経過後に、上記第１の所定時間と上記トリガレベル以上になる前の第２の所定時間とを加えた時間の時系列的に並べられた電圧データをアナログパルス波形データとして出力する波形測定手段と、上記アナログパルス波形データを入力して、最大波高値、最小波高値、パルス幅を分析し、上記パルス幅が所定の範囲を逸脱しているものについてパルス幅異常、上記最小波高値が逆極性の基準レベルを超過しているものについて逆極性波高過大、上記アナログパルス波形のアンダーシュートが上記基準レベルに到達してないものについてアンダーシュート不足、上記最大波高値が所定の上限レベルを超過しているものについて波高過大として判定し、該当ノイズがあったらそれ以降のノイズ判定をスキップし、何れもノイズ波形とみなすと共に、それらに該当しないものを信号波形とみなし、上記信号波形に対応してデジタルパルスを出力し、分析時刻及びノイズ判定根拠と共に全ての入力パルスの波形データ、最大波高値、最小波高値を波形データパッケージとして出力する波形分析手段と、上記信号波形に対応したデジタルパルスを入力して計数し、信号計数値を出力する計数手段と、上記波形データパッケージ、及び上記信号計数値を入力し、上記信号計数値に基づいて信号計数率を求め、該信号計数率が所定のレベルを超過した場合に信号計数率高警報を発信し、上記波形データパッケージの全波形数に対するノイズ波形数の比としてノイズ混入率を求め、該ノイズ混入率が所定のレベルを超過した場合に上記信号計数率高警報とのAND条件でノイズ進入警報を発信し、上記信号計数率、上記信号計数率高警報、上記ノイズ混入率、上記ノイズ進入警報、及び上記演算時刻を演算処理データパッケージとして出力する演算手段と、上記演算処理データパッケージと上記波形データパッケージとを格納する記憶手段と、上記信号計数率を常時表示し、上記演算手段から上記信号計数率高警報が発信された時には上記信号計数率と共に上記信号計数率高警報を表示し、上記演算手段から上記ノイズ進入警報が発信された時には上記ノイズ混入率と共に上記ノイズ進入警報を表示する表示手段と、を備え、上記演算手段は、上記記憶手段が格納する直近の所定数の演算処理データパッケージと直近の所定数の波形データパッケージとを常に最新化するものである。
【発明の効果】
【０００８】
この発明に係る放射線監視装置によれば、経験的に蓄積されたノイズ波形を網羅して信号波形とノイズ波形を識別し、ノイズを除去して放射線量を測定することにより耐ノイズ性を高めると共に、放射線量の増加とノイズの進入の同期性を確認できるようにして、ノイズの進入状況をリアルタイムで可視化することにより、放射線量高警報発信の原因が放射線量の増加によるものかノイズの影響を含めて機器故障によるものかを短時間で確認できるようにし、高信頼でかつ保守性の良好な射線監視装置を提供することができる。
【図面の簡単な説明】
【０００９】
【図１】この発明の実施の形態１に係る放射線監視装置の構成を示す図である。
【図２】この発明の実施の形態１に係る放射線監視装置による波形表示例を示す図である。
【図３】この発明の実施の形態２に係る放射線監視装置の構成を示す図である。
【図４】この発明の実施の形態３に係る放射線監視装置の構成を示す図である。
【図５】この発明の実施の形態４に係る放射線監視装置による波形表示例を示す図である。
【図６】この発明の実施の形態５に係る放射線監視装置による波形表示例を示す図である。
【図７】この発明の実施の形態６に係る放射線監視装置による波形表示例を示す図である。
【発明を実施するための形態】
【００１０】
以下、添付の図面を参照して、この発明に係る放射線監視装置について好適な実施の形態を説明する。なお、この実施の形態により発明が限定されるものではなく、諸種の設計的変更をも包摂するものである。
【００１１】
実施の形態１．
図１は、実施の形態１に係る放射線監視装置の構成を示すブロック図で、放射線検出器１は放射線を検出してアナログパルスを出力するものであり、パルス増幅器２は放射線検出器１から出力されるアナログパルスの波高を増幅して波形測定手段（以下、ＡＤＣという。）３に出力するものである。ＡＤＣ３は、パルス増幅器２から出力される増幅したアナログパルスを入力して時分割で電圧を測定し、所定数の電圧データを常に最新化してパッケージとして保管する。また、最新の電圧データがトリガレベル以上になったらそれから所定時間経過後に、トリガレベル前の所定時間と合わせて、所定の時間の時系列的に並べられた電圧データをアナログパルスの波形データとしてまとめて出力する。なお、ＡＤＣ３のトリガレベルは、例えば、信号波形としての下限レベルに設定される。
【００１２】
波形分析手段である波形分析器４は、ＡＤＣ３から出力された波形データを入力して分析し、図２のように最大波高値、及び最小波高値を求め、（ａ）で示すような正規の信号波形に対して、（ｂ）で示すような最大波高値が信号波形上限レベルを超過しているものについては波高過大、（ｃ）及び（ｄ）で示すような最小波高値が逆極性の基準レベルを超過しているものについては逆極性波高過大、（ｅ）で示すようなアンダーシュートが基準レベル以下に到達してないものについてはアンダーシュート不足、（ｆ）で示すようなパルス幅が所定の範囲以下に逸脱しているもの、及び（ｇ）で示すようなパルス幅が所定の範囲以上に逸脱しているものについてはパルス幅異常として、パルス幅異常、逆極性波高過大、アンダーシュート不足、波高過大の順序で判定する。そして、いずれもノイズ波形とみなし、それらに該当しないもので所定の波高条件を満たす（ａ）で示すような波形を信号波形とみなし、この信号波形に対応してデジタルパルスを出力すると共に、分析時刻、及びノイズ判定根拠と共に全ての入力パルスの波形データ、最大波高値、最小波高値を波形データパッケージとして出力する。係数手段であるカウンタ５は、信号波形に対応したデジタルパルスを入力して定周期で信号計数値を測定する。
【００１３】
演算手段である演算器６は、波形データパッケージ、及び信号計数値を入力し、信号計数値に基づいて信号計数率を求め、信号計数率が所定のレベルを超過した場合に信号計数率高警報を発信し、信号計数率、信号計数率高警報、後述のノイズ混入率、演算時刻を演算処理データパッケージとして出力する。
【００１４】
信号積算値Ｍ、信号計数値ｍ、標準偏差σ、時定数τ、定数γ、定数λ、定数αの関係は（１）〜（５）式のようになる。なお、これらの式については、記号は異なるが特開平１１−３２６５２３号公報で説明されているので、これを参照することができる。
σ＝１／（２ｍτ）１／２                   ・・・（１）
τ＝１／（２ｍσ２）                       ・・・（２）
ｍ＝ｅγＭ＝２γＭ／ｌｎ２                ・・・（３）
γ＝２σ2＝１／（ｍτ）＝２−λｌｎ２      ・・・（４）
α＝１１−λ                               ・・・（５）
【００１５】
従って、今回の計数値を△Ｎ（今回）、今回の信号積算値をＭ（今回）、前回の信号積算値をＭ（前回）、定周期時間を△Ｔとして、定周期毎に下記（６）（７）式を計算して今回の計数値ｍ（今回）を求めることができる。なお、αは、積算の重み付け定数で、例えばσ＝０.０１３の場合はα＝０、σ＝０.０２６の場合はα＝２となり、σ＝０.０５２の場合はα＝４となり、σ＝０.１０４の場合はα＝６となる。
Ｍ(今回)＝Ｍ(前回)＋２α×{△Ｎ（今回）−ｍ（前回）×ΔＴ}  ・・・（６）
ｍ(今回)＝ｅγＭ（今回）＝２ｅγＭ（今回）／ｌｎ２          ・・・（７）
【００１６】
記憶手段であるメモリー７は、演算処理データパッケージ、及び波形データパッケージを格納し、表示手段である表示器８は、常時、信号計数率を表示し、信号計数率高警報発信時には信号計数率と共に信号計数率高警報を表示する。例えばリクエストに対してノイズ混入率、及び時系列的に並べられた波形列を表示する。
【００１７】
演算器６は、定周期でメモリー７において直近の所定数の演算処理データパッケージを常に最新化して格納し、直近の所定数の波形データパッケージを常に最新化して格納し、波形データパッケージの全波形数に対するノイズ波形数の比を求めてノイズ混入率を求める。なお、メモリー７には予備エリアが設けられ、表示すべき信号計数率高警報発信時のデータが上書きされないように、演算器６は、必要なデータをメモリー７の予備エリアに所定の演算周期分に限定して移動して保管する。
【００１８】
以上のように、実施の形態１に係る放射線監視装置によれば、波形分析器４は、ノイズ波形を除去して信号波形に対応したデジタルパルスを出力し、そのデジタルパルスをカウンタ５で計数し、その計数値に基づいて演算器６で計数率を求めるようにして耐ノイズ性を高める。また、演算器６は、メモリー７に格納した波形データパッケージを常に最新化し、信号計数率高警報発信時に、表示器８に信号計数率と信号計数率高警報を表示すると共に、例えば、リクエストによりノイズ混入率を表示し、信号計数率の上昇がノイズ混入率と同期しているかどうかを確認できるようにする。更に、リクエストにより信号計数率高警報発信時の波形を時系列的に表示することにより、ノイズの進入状況を確認できるようにしたので、経験的に蓄積されたノイズ波形を網羅して信号波形とノイズ波形を自動で識別し、リアルタイムで可視化することにより、信号計数率高警報発信が計数率の増加によるものなのかノイズの影響を含めた機器故障によるものなのかを瞬時に確認することができる。
【００１９】
実施の形態２．
次に、実施の形態２に係る放射線監視装置について説明する。図３は実施の形態２に係る放射線監視装置の構成を示すブロック図で、実施の形態１で説明したカウンタ５を第１のカウンタ９に置き換え、その第１のカウンタ９に並列に第２のカウンタ１０を設けたものである。なお、その他の構成については実施の形態１と同様であり、同一符号を付すことにより、その説明を省略する。
【００２０】
実施の形態２に係る放射線監視装置は上記のように構成されており、波形分析器４は、入力されたアナログパルスが信号波形の場合に信号波形に対応したデジタルパルスを出力し、入力されたアナログパルスがノイズ波形の場合にノイズ波形に対応したデジタルパルスを出力する。
【００２１】
第１のカウンタ９は、定周期で信号波形に対応したデジタルパルスを計数して信号計数値△Ｎ１を出力し、第２のカウンタ１０は、定周期でノイズ波形に対応したデジタルパルスを計数してノイズ計数値△Ｎ２を出力する。
【００２２】
演算器６は、信号計数値△Ｎ１及びノイズ計数値△Ｎ２を入力し、実施の形態１と同様にして信号計数率を求め、△Ｎ１及び△Ｎ２の移動積算値としてそれぞれΣ△Ｎ１、Σ△Ｎ２を求め、Σ△Ｎ２／（Σ△Ｎ１＋Σ△Ｎ２）を求めてノイズ混入率とする。従って、メモリー８に格納されている所定数の波形データからノイズ混入率を求める場合に比べて波形数が多くなるので、ノイズ混入量が多い場合にノイズ混入率の精度低下を抑制できる効果を奏する。
【００２３】
実施の形態３．
次に、実施の形態３に係る放射線監視装置について説明する。図４は実施の形態３に係る放射線監視装置の構成を示すブロック図で、実施の形態２で説明した放射線監視装置にアップダウンカウンタ１１、周波数合成回路１２、及び積算制御回路１３を追加した構成としたものである。なお、その他の構成については実施の形態２と同様であり、同一符号を付すことにより、その説明を省略する。
【００２４】
実施の形態３に係る放射線監視装置は上記のように構成されており、アップダウンカウンタ１１は波形分析器４から出力されるデジタルパルスを加算入力部１１ａに入力し、後述のフィードバックパルスを減算入力部１１ｂに入力し、両者の差を積算した積算値Ｍを演算器６に出力する。この時、周波数合成回路１２は積算値Ｍを入力して積算値Ｍに基づき演算器６のクロックパルスを分周・周波数合成してフィードバックパルスを生成する。
【００２５】
また、積算制御回路１３は、実施の形態１で説明した（５）式に基づきアップダウンカウンタ１１が計数する時に、例えば、σ＝０.０２６の時は２α＝２２＝４の重み付けを行い、σ＝０.０５２の時は２α＝２４＝１６の重み付けを行う。演算器６は、積算値Ｍを入力し、積算値Ｍに基づき実施の形態１で説明した（３）式にて信号計数率ｍを求める。
【００２６】
以上のように、実施の形態３に係る放射線監視装置によれば、信号計数率ｍと積算値Ｍが、Ｍ＝（１／γ）ｌｎ（ｍ）の関係でバランスするように動作する回路を設けることにより、演算器６の演算時間に影響されることなく連続して積算値Ｍが測定されるため、高計数率に対しても高速で応答し、数え落としを抑制して高計数率に亘って高精度で測定できる。
【００２７】
実施の形態４．
次に、実施の形態４に係る放射線監視装置について説明する。図５は表示器における波形表示例を示す図である。実施の形態１から３の何れかの放射線監視装置において、表示器８は、図５に示すように、演算器６から出力される波形を最大波高値と最小波高値を結ぶ垂線で簡略化して表示し、基準レベル、信号レベル、信号波形としての上限レベル、逆極性判定レベル、アンダーシュート判定レベルと共に表示する。また、パルス幅異常を垂線の幅で識別し、例えば、パルス幅が所定の範囲以下に逸脱しているものは細線で、パルス幅が所定の範囲以上に逸脱しているものは太線で表示する。従って、信号波形とノイズ波形の視認性を飛躍的に高めることができる。
【００２８】
なお、波形分析器４において、分析時刻、ノイズ判定根拠、全ての入力パルスの波形データ、最大波高値、最小波高値で構成される波形データパッケージから全ての入力パルスの波形データを削除してデータ量を削減してもよい。
【００２９】
実施の形態５．
次に、実施の形態５に係る放射線監視装置について説明する。図６は実施の形態５に係る放射線監視装置の表示器における波形表示例を示す図である。表示器８は、実施の形態４における最大波高値と最小波高値を結ぶ垂線の幅で表示する代わりに、図６に示すように、例えばパルス幅が所定の範囲以下に逸脱しているものは青線で、パルス幅が所定の範囲以上に逸脱しているものは赤線で表示し、その他を黒線で表示するようにする。なお、放射線監視装置の構成は実施の形態４と同様に、実施の形態１から３の何れかの放射線監視装置が用いられる。また、波形分析器４において、分析時刻、ノイズ判定根拠、全ての入力パルスの波形データ、最大波高値、最小波高値で構成される波形データパッケージから全ての入力パルスの波形データを削除してデータ量を削減してもよいことも実施の形態４と同様である。
【００３０】
このように、実施の形態５に係る放射線監視装置は、ノイズの種類について垂線の色を違えて識別表示するようにしたので、視認性を一層向上できる効果がある。
【００３１】
実施の形態６．
次に、実施の形態６に係る放射線監視装置について説明する。図７は実施の形態６に係る放射線監視装置の表示器における波形表示例を示す図である。表示器８は、図７に示すように、波形データを抽出しなかった時間（波形抽出条件を満たすパルスがなかった期間、即ち、信号もノイズもない期間）を基準レベルで埋めて表示し、垂線の密度を可視化する。即ち、ランダムパルスの間を基準レベルの０Ｖ水平線で繋いで表示し、垂線の密度を図中に矢印Ａで表示するように可視化する。従って、ノイズ進入状況、特に一過性のノイズの進入について視認性が飛躍的に向上する。なお、この図７中に矢印Ａで表示した部分を、実施の形態５で説明したように、例えば赤線などのように、色別表示してもよい。
【符号の説明】
【００３２】
１  放射線検出器
２  パルス増幅器
３  ＡＤＣ
４  波形分析器
５  カウンタ
６  演算器
７  メモリー
８  表示器
９  第１のカウンタ
１０  第２のカウンタ
１１  アップダウンカウンタ
１１ａ  加算入力部
１１ｂ  減算入力部
１２  周波数合成回路
１３  積算制御回路
【図１】
0005373711.tif 000002
【図２】
0005373711.tif 000003
【図３】
0005373711.tif 000004
【図４】
0005373711.tif 000005
【図５】
0005373711.tif 000006
【図６】
0005373711.tif 000007
【図７】
0005373711.tif 000008